(57)【要約】【課題】広告を表示する冷蔵庫において、冷蔵庫の使用者に対して効果的に広告を提示する。【解決手段】冷蔵庫（１）は、ドアセンサー（１０）が検知するドアの開閉状態の変化に応じて、広告を表示するように表示部（１４）を制御する。【選択図】図１
2017211168.tif 000002
【特許請求の範囲】
【請求項１】
冷蔵庫であって、
広告データを取得する広告データ取得部と、
上記広告データが示す広告を表示するための表示部と、
上記冷蔵庫のドアと、
上記ドアの開閉状態を検知するドアセンサーと、
上記ドアセンサーが検知した上記開閉状態の変化に応じて、上記広告を表示するように上記表示部を制御する制御部とを備えている、冷蔵庫。
【請求項２】
上記制御部は、上記ドアセンサーが検知した上記開閉状態が閉状態に変化したことに応じて、上記広告を表示するように上記表示部を制御する、請求項１に記載の冷蔵庫。
【請求項３】
上記冷蔵庫の使用者の存在を検出する検出部をさらに備え、
上記制御部は、上記表示部が上記広告の表示を開始してから第１の時間が経過したこと、および、上記検出部が上記使用者の存在を検出しなかったことの少なくとも一方に応じて、上記広告の表示を停止するように上記表示部を制御する、請求項１または２に記載の冷蔵庫。
【請求項４】
上記制御部は、上記表示部が上記広告の表示を開始してから第２の時間が経過したときに、表示する広告を変更するように上記表示部を制御する、請求項１〜３の何れか１項に記載の冷蔵庫。
【請求項５】
特定の種類の飲食物を保持するための保持部と、
上記保持部が保持している物体の重量を測定する重量センサーとをさらに備え、
上記制御部は、上記重量センサーが測定した重量に応じた上記広告データを取得するように上記広告データ取得部を制御する、請求項１〜４の何れか１項に記載の冷蔵庫。
【請求項６】
上記冷蔵庫は、冷凍庫を内蔵しており、
上記冷凍庫内に存在する氷の消費量を測定する消費量センサーをさらに備え、
上記制御部は、上記消費量センサーが測定した上記消費量に応じた上記広告データを取得するように上記広告データ取得部を制御する、請求項１〜５の何れか１項に記載の冷蔵庫。
【請求項７】
上記冷蔵庫の使用者を撮像する撮像部をさらに備え、
上記制御部は、上記撮像部が撮像した画像から上記使用者を判別し、判別した当該使用者に応じた表示態様で上記広告を表示するように上記表示部を制御する、請求項１に記載の冷蔵庫。
【請求項８】
冷蔵庫の制御部としてコンピュータを機能させるための広告表示プログラムであって、上記冷蔵庫は、広告データを取得する広告データ取得部と、上記広告データが示す広告を表示するための表示部と、上記冷蔵庫のドアと、上記ドアの開閉状態を検知するドアセンサーと、を備えており、上記コンピュータは、
上記ドアセンサーが検知した上記開閉状態の変化に応じて、上記広告を表示するように上記表示部を制御する制御部としてコンピュータを機能させるための広告表示プログラム。
【発明の詳細な説明】
【技術分野】
【０００１】
本発明は、広告を表示する冷蔵庫に関する。
【背景技術】
【０００２】
従来技術として、特許文献１には、各家庭の冷蔵庫と広告配信業者端末と各地域の小売店端末とが各々インターネットを介して接続されていることを特徴とするインターネット機能を保有する冷蔵庫が記載されている。
【先行技術文献】
【特許文献】
【０００３】
【特許文献１】特開２００３−１６２２４３号公報（２００３年６月６日公開）
【発明の概要】
【発明が解決しようとする課題】
【０００４】
しかしながら、上述のような従来技術の冷蔵庫では、広告データが配信されるタイミングは、使用者による冷蔵庫の使用とは関係なく決定されるため、広告を表示した時に使用者がその広告の対象に関心を寄せていない可能性がある。その場合、使用者に対して広告を効果的に提示することが困難である。
【０００５】
本発明は、上記の問題点に鑑みてなされたものであり、その目的は、広告を表示する冷蔵庫において、冷蔵庫の使用者に対して効果的に広告を提示するための技術を提供することにある。
【課題を解決するための手段】
【０００６】
上記の課題を解決するために、本発明の一態様に係る冷蔵庫は、冷蔵庫であって、広告データを取得する広告データ取得部と、上記広告データが示す広告を表示するための表示部と、上記冷蔵庫のドアと、上記ドアの開閉状態を検知するドアセンサーと、上記ドアセンサーが検知した上記開閉状態の変化に応じて、上記広告を表示するように上記表示部を制御する制御部とを備えている。
【０００７】
上記の課題を解決するために、本発明の一態様に係る広告表示プログラムは、冷蔵庫の制御部としてコンピュータを機能させるための広告表示プログラムであって、上記冷蔵庫は、広告データを取得する広告データ取得部と、上記広告データが示す広告を表示するための表示部と、上記冷蔵庫のドアと、上記ドアの開閉状態を検知するドアセンサーと、を備えており、上記コンピュータは、上記ドアセンサーが検知した上記開閉状態の変化に応じて、上記広告を表示するように上記表示部を制御する制御部としてコンピュータを機能させるためのプログラムである。
【発明の効果】
【０００８】
本発明は、広告を表示する冷蔵庫において、使用者に対する広告の効果を向上する。
【図面の簡単な説明】
【０００９】
【図１】本発明の実施形態１に係る冷蔵庫の構成を示すブロック図である。
【図２】本発明の実施形態１に係る冷蔵庫の動作を説明するフローチャートである。
【図３】本発明の実施形態２に係る冷蔵庫の構成を示すブロック図である。
【図４】本発明の実施形態２に係る冷蔵庫の動作を説明するフローチャートである。
【図５】本発明の実施形態３に係る冷蔵庫の構成を示すブロック図である。
【図６】本発明の実施形態３に係る冷蔵庫の動作を説明するフローチャートである。
【図７】本発明の実施形態４に係る冷蔵庫の構成を示すブロック図である。
【図８】本発明の実施形態４に係る冷蔵庫の動作を説明するフローチャートである。
【図９】本発明の実施形態５に係る冷蔵庫の動作を説明するフローチャートである。
【発明を実施するための形態】
【００１０】
以下、本発明の実施形態について、詳細に説明する。ただし、本実施形態に記載されている構成は、特に特定的な記載がない限り、この発明の範囲をそれのみに限定する趣旨ではなく、単なる説明例に過ぎない。
【００１１】
〔実施形態１〕
（冷蔵庫１）
本実施形態に係る冷蔵庫について、図面を参照して説明する。図１は、本実施形態に係る冷蔵庫１の構成を示すブロック図である。図１が示すように、冷蔵庫１は、ドアセンサー１０、制御部１１、記憶部１２、入力部１３、表示部１４、音声出力部１５、ドア２４および接続装置２５を備えている。ドア２４は、例えば、開き戸、引き出しの前板等であるがこれらに限定されない。
【００１２】
ドアセンサー１０は、冷蔵庫１のドア２４の開閉状態（開状態および閉状態）を検知する。なお、本願明細書においては、冷蔵庫１のドア２４が開いている状態を開状態と表記し、冷蔵庫１のドア２４が閉まっている状態を閉状態と表記する。より詳細には、例えば、ドア２４が開き戸である場合には、ドア２４が所定角度を超えて開いている状態を開状態とし、ドア２４が所定角度を超えて開いていない状態を閉状態とすることができる。また、例えば、ドア２４が引き出しの前板である場合には、ドア２４が所定幅を超えて引き出されている状態を開状態とし、ドア２４が所定幅を超えて引き出されていない状態を閉状態とすることができる。また、ドアセンサー１０は、ドア２４が、開状態であるか、閉状態であるかだけでなく、例えば、ドア２４が開き戸である場合には、ドア２４の開いている角度を、ドア２４が引き出しの前板である場合には、ドア２４の引き出されている幅を、ドア２４の開閉状態として検知するようになっていてもよい。
【００１３】
制御部１１は、通信制御部（広告データ取得部）１６、センサー制御部１７、および入出力制御部１８を備えている。冷蔵庫１は、インターネットへの接続装置２５を備えており、通信制御部１６は、当該接続装置２５を制御して、インターネットを介して、クラウドサーバーから広告データを取得し、入出力制御部１８に出力する。また、通信制御部１６は、前記接続装置２５を制御して、使用者が入力部１３を介して入力した情報を、クラウドサーバーに送信する。センサー制御部１７は、ドアセンサー１０からドア２４の開閉状態を取得し、当該開閉状態が開状態から閉状態に変化したか否かを判定し、判定結果を入出力制御部１８に出力する。入出力制御部１８は、センサー制御部１７がドア２４が開状態から閉状態に変化したと判定した場合、通信制御部１６が取得した広告データが示す広告を表示するように表示部１４を制御する。
【００１４】
記憶部１２は、使用者が入力部１３を介して入力した情報、および通信制御部１６がインターネットを介して取得した情報等を記憶する。
【００１５】
入力部１３は、表示部１４が表示した広告に対して、使用者が行った操作または選択等を取得する。また、入力部１３は、使用者が入力した、冷蔵庫が保持する飲食物に関する情報、および使用者に関する情報等も取得する。
【００１６】
表示部１４は、入出力制御部１８による制御に従って、広告を表示する。なお、表示部１４は、使用者が入出力を行えるタッチパネルであってもよい。その場合、タッチパネルを表示部１４兼入力部１３として用いてもよい。
【００１７】
音声出力部１５は、表示部１４が表示した広告に伴った音声情報等を出力する。
【００１８】
（冷蔵庫１の動作）
本実施形態に係る冷蔵庫１の動作について、図面を参照して説明する。図２は、本実施形態に係る広告表示方法を説明するフローチャートである。まず、使用者が冷蔵庫１のドア２４を開いたとき、ドアセンサー１０は、冷蔵庫１のドア２４の開状態を検知する（ステップＳ０）。以後、センサー制御部１７は、ドアセンサー１０が検知したドア２４の開閉状態を取得し、当該開閉状態が開状態から閉状態に変化したか否かを判定する（ステップＳ１）。
【００１９】
このとき、使用者が、冷蔵庫１のドア２４を閉めると、ドアセンサー１０は、冷蔵庫１のドア２４の閉状態を検知するため、センサー制御部１７は、冷蔵庫１のドア２４が開状態から閉状態に変化したと判定し（ステップＳ１のＹＥＳ）、ステップＳ２に進む。一方、使用者が、冷蔵庫１のドア２４を閉めていない間は、ドアセンサー１０は、冷蔵庫１のドア２４の開状態を検知し続けるため、センサー制御部１７は、冷蔵庫１のドア２４が開状態から閉状態に変化したと判定せず（ステップＳ１のＮＯ）、センサー制御部１７は、冷蔵庫１のドア２４が開状態から閉状態に変化したと判定するまで、ステップＳ１の工程を繰り返す。
【００２０】
ステップＳ２では、通信制御部１６が、インターネットを介してクラウドサーバーから広告データを取得する。そして、入出力制御部１８が、通信制御部１６が取得した広告データを参照して、当該広告データが示す広告を表示するように表示部１４を制御する（ステップＳ３）。
【００２１】
なお、別の態様では、ステップＳ３における広告は、ステップＳ２において通信制御部１６が取得した広告ではなく、通信制御部１６が予め取得し、記憶部１２に保存された広告であってもよい。また、通信制御部１６が取得した広告が、音声情報を伴っている場合は、入出力制御部１８は、当該音声情報を出力するように音声出力部１５を制御してもよい。
【００２２】
また、入出力制御部１８は、ドアセンサーが、ドア２４が開状態から閉状態に変化したことを検知した時から所定時間（第２の時間）が経過した場合、表示する広告を別の広告に変更するように表示部１４を制御してもよい。これにより、使用者が同じ広告を見続けることによって広告の効果が下がることを回避することができる。
【００２３】
以上に説明したように、本実施形態に係る冷蔵庫１は、ドア２４が開状態から閉状態に変化したことを検知した場合に、広告を表示する。使用者が冷蔵庫１のドア２４を閉めたタイミングにおいて広告を表示することにより、効果的に広告を提示することができる。
【００２４】
また、一変形例において、制御部１１は、ドアセンサー１０が検知した開閉状態が開状態から閉状態に変化したときでなくとも、ドアセンサー１０が検知した開閉状態の変化に応じて、広告を表示するように表示部１４を制御するように構成されていてもよい。例えば、ドア２４が開状態から閉状態に遷移する途中（ドア２４が開かれている角度が所定の角度になったとき、または、ドア２４が引き出されている幅が所定の幅になったとき）に、表示部１４が広告を表示するようになっていてもよい。すなわち、ドア２４の開閉状態に変化があったときは、使用者が冷蔵庫１を使用していることを示しているため、制御部１１は、ドア２４の開閉状態の変化に応じて、広告を表示させることにより、効果的に広告を提示することができる。
【００２５】
特に、使用者が冷蔵庫１のドア２４を閉めたタイミング等では、使用者が飲食物に関することに関心を向けている可能性が高いため、そのタイミングで飲食物に関する広告を表示することにより、使用者に対する広告の効果を向上することができる。
【００２６】
〔実施形態２〕
本発明の実施形態２について説明すれば、以下のとおりである。
【００２７】
（冷蔵庫２）
本実施形態に係る冷蔵庫２について、図面を参照して説明する。なお、本実施形態に係る冷蔵庫２は、撮像部（検出部）１９、および制御部２０のカメラ制御部（検出部）２１を備えていること以外は、実施形態１に係る冷蔵庫１と同様の構成を有している。そのため、実施形態１において説明した部材と同様の機能を有する部材については、同じ番号を付し、その説明を省略する。図３は、本実施形態に係る冷蔵庫２の構成を示すブロック図である。図３が示すように、冷蔵庫２は、実施形態１に係る冷蔵庫１の構成に加えて、撮像部１９、および制御部２０のカメラ制御部２１をさらに備えている。
【００２８】
撮像部１９は、冷蔵庫２を使用している使用者を撮像する。撮像部１９の例としては、ＣＣＤおよびＣＭＯＳ等のカメラユニットが挙げられる。なお、撮像部１９は、使用者を撮像できる冷蔵庫２の箇所に設置されていればよく、冷蔵庫２の庫外に設置されていてもよいし、冷蔵庫の庫内に設置されていてもよい。
【００２９】
制御部２０は、実施形態１における制御部１１の構成に加えて、カメラ制御部２１をさらに備えている。カメラ制御部２１は、撮像部１９が撮像した画像に使用者が写っているか否かを判定する。これにより、カメラ制御部２１は、冷蔵庫２を使用している使用者の存在を検出する。
【００３０】
本実施形態では、冷蔵庫２は、表示部１４が広告の表示を開始してから所定時間（第１の時間）が経過し、かつ、カメラ制御部２１が、冷蔵庫２の使用者の存在を検出しなかった場合、入出力制御部１８は、広告の表示を停止するように表示部１４を制御する。
【００３１】
（冷蔵庫２の動作）
図４は、本実施形態に係る冷蔵庫２の動作を説明するフローチャートである。なお、実施形態１において説明した工程と同様の工程については、その説明を省略する。
【００３２】
まず、使用者が冷蔵庫２のドア２４を開いたとき、ドアセンサー１０は、冷蔵庫２のドア２４の開状態を検知する（ステップＳ１０）。以後、センサー制御部１７は、ドアセンサー１０からドア２４の開閉状態を取得し、当該開閉状態が開状態から閉状態に変化したか否かを判定する（ステップＳ１１）。
【００３３】
このとき、使用者が、冷蔵庫２のドア２４を閉めると、ドアセンサー１０は、冷蔵庫２のドア２４の閉状態を検知するため、センサー制御部１７は、冷蔵庫２のドア２４が開状態から閉状態に変化したと判定し（ステップＳ１１のＹＥＳ）、ステップＳ１２に進む。一方、使用者が、冷蔵庫２のドア２４を閉めていない間は、ドアセンサー１０は、冷蔵庫２のドア２４の開状態を検知し続けるため、センサー制御部１７は、冷蔵庫２のドア２４が開状態から閉状態に変化したと判定せず（ステップＳ１１のＮＯ）、センサー制御部１７は、冷蔵庫２のドア２４が開状態から閉状態に変化したと判定するまで、ステップＳ１１の工程を繰り返す。
【００３４】
ステップＳ１２では、通信制御部１６は、インターネットを介してクラウドサーバーから広告データを取得する。そして、入出力制御部１８が、通信制御部１６が取得した広告データが示す広告を表示するように表示部１４を制御する（ステップＳ１３）。
【００３５】
次に、入出力制御部１８は、表示部１４が広告の表示を開始してから所定時間（第１の時間）が経過したか否かを判定する（ステップＳ１４）。
【００３６】
入出力制御部１８が、所定時間（第１の時間）が経過したと判定した場合（ステップＳ１４のＹＥＳ）、ステップＳ１５に進む。入出力制御部１８が、所定時間（第１の時間）が経過していないと判定した場合（ステップＳ１４のＮＯ）、入出力制御部１８は、上述の所定時間を経過したと判定するまで、ステップ１４を繰り返す。
【００３７】
ステップＳ１５では、カメラ制御部２１は、その時に撮像部１９が撮像した画像に使用者が写っているか否かを判定することにより、冷蔵庫２の使用者の存在を検出する。カメラ制御部２１が、撮像部１９が撮像した画像に使用者が写っていないと判定し、冷蔵庫２の使用者の存在を検出しなかった場合（ステップＳ１５のＮＯ）、入出力制御部１８は、広告の表示を停止するように表示部１４を制御する（ステップＳ１６）。カメラ制御部２１が、撮像部１９が撮像した画像に使用者が写っていると判定し、冷蔵庫２の使用者の存在を検出した場合（ステップＳ１５のＹＥＳ）、カメラ制御部２１は、その時に撮像部１９が撮像した画像に使用者が写っているか否かを再度判定し、撮像部１９が撮像した画像に使用者が写っていないと判定するまで、ステップＳ１５を繰り返す。
【００３８】
以上に説明したように、本実施形態に係る冷蔵庫２は、表示部１４が広告の表示を開始してから所定時間が経過し、かつ、冷蔵庫２の使用者の存在が検出されなかった場合、広告の表示を停止する。これにより、広告が常に表示されることを避け、広告が表示されたときに、使用者の注意を引くようにすることができる。また、使用者が広告を見ている間に、広告の表示が突然停止してしまうことを防ぐことができる。
【００３９】
（変形例）
なお、以上では、カメラ制御部２１が、撮像部１９が撮像した画像に使用者が写っているか否かを判定することによって、冷蔵庫２の使用者の存在を検出する構成について説明したが、本実施形態はこれに限定されない。冷蔵庫２は、例えば、冷蔵庫２の使用者の温度、動き、近接等を感知する人感センサーによって、冷蔵庫２の使用者の存在を検出する構成であってもよい。
【００４０】
また、本実施形態の変形例として、冷蔵庫２は、上記で説明した方法と同様の方法で、表示部１４が広告の表示を開始してから所定時間が経過した場合、入出力制御部１８が、広告の表示を停止するように表示部１４を制御してもよい。
【００４１】
また、本実施形態の別の変形例として、冷蔵庫２は、上記で説明した方法と同様の方法で、冷蔵庫２の使用者の存在を検出しなかった場合、入出力制御部１８が、広告の表示を停止するように表示部１４を制御してもよい。
【００４２】
これらの変型例においても、広告が常に表示されることを避け、広告が表示されたときに、使用者の注意を引くようにすることができる。
【００４３】
なお、本実施形態においても、制御部２０は、ドアセンサー１０が検知した開閉状態が開状態から閉状態に変化したときでなくとも、ドアセンサー１０が検知した開閉状態の変化に応じて、広告を表示するように表示部１４を制御するように構成されていてもよい。
【００４４】
〔実施形態３〕
本発明の実施形態３について説明すれば、以下のとおりである。
【００４５】
（冷蔵庫３）
本実施形態に係る冷蔵庫３について、図面を参照して説明する。なお、本実施形態に係る冷蔵庫３は、ドアポケット（保持部）２６、および重量センサー２２を備えていること以外は、実施形態１に係る冷蔵庫１と同様の構成を有している。そのため、実施形態１において説明した部材と同様の機能を有する部材については、同じ番号を付し、その説明を省略する。図５は、本実施形態に係る冷蔵庫３の構成を示すブロック図である。図５が示すように、冷蔵庫３は、実施形態１に係る冷蔵庫１の構成に加えて、ドアポケット２６に、重量センサー２２をさらに備えている。
【００４６】
重量センサー２２は、ドアポケット２６が保持している物体の重量を測定する。
【００４７】
本実施形態では、冷蔵庫３は、重量センサー２２が測定した重量に応じた広告データを取得する。詳細には、冷蔵庫３は、重量センサー２２が測定した特定の種類の飲食物の重量が特定の条件を満たす場合に、当該特定の種類の飲食物に関する広告データを取得し、当該広告データが示す広告を表示する。また、冷蔵庫３は、重量センサー２２が測定した特定の種類の飲食物の重量が特定の条件を満たさなかった場合、任意の広告データ、例えば、当該特定の種類の飲食物とは別のおすすめの飲食物に関する広告データを取得し、取得した広告データが示す広告を表示する。
【００４８】
（冷蔵庫３の動作）
図６は、本実施形態に係る冷蔵庫３の動作を説明するフローチャートである。なお、実施形態１において説明した工程と同様の工程については、その説明を省略する。
【００４９】
まず、センサー制御部１７は、冷蔵庫３のドア２４が閉状態であるときに重量センサー２２が測定した重量を取得する（ステップＳ２０）。
【００５０】
次に、使用者が冷蔵庫３のドア２４を開いたとき、ドアセンサー１０は、冷蔵庫３のドア２４の開状態を検知する（ステップＳ２１）。以後、センサー制御部１７は、ドアセンサー１０からドア２４の開閉状態を取得し、当該開閉状態が開状態から閉状態に変化したか否かを判定する（ステップＳ２２）。
【００５１】
このとき、使用者が、冷蔵庫３のドア２４を閉めると、ドアセンサー１０は、冷蔵庫３のドア２４の閉状態を検知するため、センサー制御部１７は、冷蔵庫３のドア２４が開状態から閉状態に変化したと判定し（ステップＳ２２のＹＥＳ）、ステップＳ２３に進む。一方、使用者が、冷蔵庫３のドア２４を閉めていない間は、ドアセンサー１０は、冷蔵庫３のドア２４の開状態を検知し続けるため、センサー制御部１７は、冷蔵庫３のドア２４が開状態から閉状態に変化したと判定せず（ステップＳ２２のＮＯ）、センサー制御部１７は、冷蔵庫３のドア２４が開状態から閉状態に変化したと判定するまで、ステップＳ２２の工程を繰り返す。
【００５２】
ステップＳ２３では、センサー制御部１７は、その時に重量センサー２２が測定した特定の種類の飲食物の重量を取得する。ステップＳ２３における特定の種類の飲食物の例としては、卵等の食料、および牛乳等の飲料が挙げられる。そして、センサー制御部１７は、取得した特定の種類の飲食物の重量が特定の条件を満たすか否かを判定する（ステップＳ２４）。ステップＳ２４における特定の条件の例を下記にいくつか挙げる。例えば、特定の条件は、特定の条件は、ドア２４が開状態になる前に重量センサー２２が予め測定した重量と、ステップＳ２３でセンサー制御部１７が取得した重量との差が、所定の値を超えることであり得る。これにより、使用者が冷蔵庫３のドア２４を開き、特定の種類の飲食物を、所定の量以上消費したか否かを判定することができる。また、別の例として、ステップＳ２３でセンサー制御部１７が取得した特定の種類の飲食物の重量が所定の値より低いことであり得る。これにより、ドアポケット２６が特定の種類の飲食物を一定量保持しているか否かを判定することができる。
【００５３】
センサー制御部１７が、取得した特定の種類の飲食物の重量が特定の条件を満たすと判定した場合（ステップＳ２４のＹＥＳ）、通信制御部１６は、当該特定の種類の飲食物に関する広告データをクラウドサーバーから取得する（ステップＳ２５）。なお、センサー制御部１７によって、重量が特定の条件を満たすと判定された特定の種類の飲食物が複数種ある場合は、通信制御部１６は、複数種の飲食物に関する広告データを取得する。
【００５４】
センサー制御部１７が、取得した特定の種類の飲食物の重量が特定の条件を満たさないと判定した場合（ステップＳ２４のＮＯ）、通信制御部１６は、任意の広告データ、例えば、当該特定の種類の飲食物とは別のおすすめの飲食物に関する広告データをクラウドサーバーから取得する（ステップＳ２６）。
【００５５】
ステップＳ２５またはステップＳ２６の次に、入出力制御部１８は、通信制御部１６が取得した広告データが示す広告を表示するように表示部１４を制御する（ステップＳ２７）。なお、ステップ２４において、通信制御部１６が、複数種の飲食物に関する広告データを取得した場合は、入出力制御部１８は、複数種の飲食物に関する広告データのうちの１つの広告データが示す広告を表示し、ドアセンサー１０が、ドア２４が開状態から閉状態に変化したことを検知した時から所定時間（第２の時間）が経過した場合、表示部１４が表示する広告を、複数種の飲食物に関する広告のうちの別の広告に変更するように表示部１４を制御してもよい。
【００５６】
なお、以上では、ドアポケット２６が特定の種類の飲食物を保持しており、重量センサー２２は、ドアポケット２６が保持している物体の重量を測定する構成について説明したが、本実施形態はこれに限定されず、冷蔵庫３が、特定の種類の飲食物を保持する保持部を備えており、当該保持部が保持している物体の重量を重量センサー２２が測定するように構成されていればよい。そのような保持部としては、ドアポケット２６以外にも、例えば、野菜室等が挙げられる。
【００５７】
以上に説明したように、本実施形態に係る冷蔵庫３は、特定の種類の飲食物を保持するための保持部が保持している飲食物の重量に応じて当該飲食物に関する広告を表示する。これにより、当該飲食物の在庫量や、使用者による当該飲食物の消費量に応じて、当該飲食物に関する広告を表示することができる。使用者は不足している飲食物や消費した飲食物に関心を寄せている可能性が高いため、使用者に対する広告の効果を向上することができる。
【００５８】
（変形例）
以上では、ステップＳ２４において、センサー制御部１７が、取得した特定の種類の飲食物の重量が特定の条件を満たすか否かを判定する構成について説明したが、代替的な構成として、ステップＳ２４において、通信制御部１６が、センサー制御部１７が取得した特定の種類の飲食物の重量（またはその変化）を、クラウドサーバーに送信し、クラウドサーバーにおいて、特定の種類の飲食物の重量（またはその変化）が、上述した特定の条件を満たすか否かを判定するようにしてもよい。そして、クラウドサーバーが、受信した特定の種類の飲食物の重量が特定の条件を満たすと判定した場合（ステップＳ２４のＹＥＳ）、通信制御部１６は、当該特定の種類の飲食物に関する広告データをクラウドサーバーから取得し（ステップＳ２５）、クラウドサーバーが、受信した特定の種類の飲食物の重量が特定の条件を満たさないと判定した場合（ステップＳ２４のＮＯ）、通信制御部１６は、任意の広告データをクラウドサーバーから取得する（ステップＳ２６）ように構成してもよい。
【００５９】
なお、本実施形態においても、制御部１１は、ドアセンサー１０が検知した開閉状態が開状態から閉状態に変化したときでなくとも、ドアセンサー１０が検知した開閉状態の変化に応じて、広告を表示するように表示部１４を制御するように構成されていてもよい。
【００６０】
〔実施形態４〕
本発明の実施形態４について説明すれば、以下のとおりである。
【００６１】
（冷蔵庫４）
本実施形態に係る冷蔵庫４について、図面を参照して説明する。なお、本実施形態に係る冷蔵庫４は、冷凍庫２７を内蔵していること、および消費量センサー２３を備えていること以外は、実施形態１に係る冷蔵庫４と同様の構成を有している。そのため、実施形態１において説明した部材と同様の機能を有する部材については、同じ番号を付し、その説明を省略する。図７は、本実施形態に係る冷蔵庫４の構成を示すブロック図である。図７が示すように、冷蔵庫４は、実施形態１に係る冷蔵庫１の構成に加えて、内蔵している冷凍庫２７に、消費量センサー２３をさらに備えている。
【００６２】
消費量センサー２３は、冷凍庫２７内に存在する氷の消費量を測定する。
【００６３】
本実施形態では、冷蔵庫４は、ドアセンサー１０が、ドア２４が開状態から閉状態に変化したことを検知し、かつ、消費量センサー２３が測定した氷の消費量が特定の条件を満たす場合に、入出力制御部１８は、夏期関連商品に関する広告を表示するように表示部１４を制御する。
【００６４】
（冷蔵庫４の動作）
図８は、本実施形態に係る冷蔵庫４の動作を説明するフローチャートである。なお、実施形態１において説明した工程と同様の工程については、その説明を省略する。
【００６５】
まず、使用者が、冷蔵庫４のドア２４を開いたとき、ドアセンサー１０は、冷蔵庫４のドア２４の開状態を検知する（ステップＳ３０）。以後、センサー制御部１７は、ドアセンサー１０からドア２４の開閉状態を取得し、当該開閉状態が開状態から閉状態に変化したか否かを判定する（ステップＳ３１）。
【００６６】
このとき、使用者が、冷蔵庫４のドア２４を閉めると、ドアセンサー１０は、冷蔵庫４のドア２４の閉状態を検知するため、センサー制御部１７は、冷蔵庫４のドア２４が開状態から閉状態に変化したと判定し（ステップＳ３１のＹＥＳ）、ステップＳ３２に進む。一方、使用者が、冷蔵庫４のドア２４を閉めていない間は、ドアセンサー１０は、冷蔵庫４のドア２４の開状態を検知し続けるため、センサー制御部１７は、冷蔵庫４のドア２４が開状態から閉状態に変化したと判定せず（ステップＳ３１のＮＯ）、センサー制御部１７は、冷蔵庫４のドア２４が開状態から閉状態に変化したと判定するまで、ステップＳ３１の工程を繰り返す。
【００６７】
ステップＳ３２では、センサー制御部１７は、消費量センサー２３が予め測定した氷の消費量を取得する。なお、消費量センサー２３による氷の消費量の測定方法の例としては、消費量センサー２３が一定期間の氷の作成回数をカウントし、消費量を測定する方法が挙げられる。また、消費量センサー２３は、製氷室内の重量を計測し、当該重量に応じて、消費量を測定するものであってもよい。そして、センサー制御部１７は、取得した氷の消費量が特定の条件を満たすか否かを判定する（ステップＳ３３）。ステップＳ３３における特定の条件の例としては、氷の消費量が所定の値を超えることという条件を挙げることができる。
【００６８】
センサー制御部１７が、取得した氷の消費量が特定の条件を満たすと判定した場合（ステップＳ３３のＹＥＳ）、通信制御部１６は、夏期関連商品に関する広告データをクラウドサーバーから取得する（ステップＳ３４）。なお、本明細書における用語「夏期関連商品」は、夏期に売れ行きの良い食料品、飲料および家電製品等の商品を示す。夏期関連商品の例としては、洋酒、かき氷のシロップ、プールおよびエアコン等を挙げることができる。
【００６９】
センサー制御部１７が、取得した特定の種類の飲食物の重量が特定の条件を満たさないと判定した場合（ステップＳ３３のＮＯ）、通信制御部１６は、任意の広告データをクラウドサーバーから取得する（ステップＳ３５）。
【００７０】
ステップＳ３４またはステップＳ３５の次に、入出力制御部１８は、通信制御部１６が取得した広告データを表示するように表示部１４を制御する（ステップＳ３６）。
【００７１】
以上に説明したように、本実施形態に係る冷蔵庫４は、ドアが開状態から閉状態に変化したことを検知し、かつ、氷の消費量が特定の条件を満たす場合、夏期関連商品に関する広告を表示する。これにより、使用者が夏期に氷を多く消費する場合、夏期関連商品に関する広告を表示することができる。すなわち、使用者が夏期に消費しやすい商品に関する広告を表示することによって、使用者に対する広告の効果を向上することができる。
【００７２】
（変形例）
以上では、ステップＳ３３において、センサー制御部１７が、取得した氷の消費量が特定の条件を満たすか否かを判定する構成について説明したが、代替的な構成として、ステップＳ３３において、通信制御部１６が、センサー制御部１７が取得した取得した氷の消費量を、クラウドサーバーに送信し、クラウドサーバーにおいて、氷の消費量が、上述した特定の条件を満たすか否かを判定するようにしてもよい。そして、クラウドサーバーが、受信した氷の消費量が特定の条件を満たすと判定した場合（ステップＳ３３のＹＥＳ）、通信制御部１６は、夏期関連商品に関する広告データをクラウドサーバーから取得し（ステップＳ３４）、クラウドサーバーが、受信した氷の消費量が特定の条件を満たさないと判定した場合（ステップＳ３３のＮＯ）、通信制御部１６は、任意の広告データをクラウドサーバーから取得する（ステップＳ３５）ように構成してもよい。
【００７３】
なお、本実施形態においても、制御部１１は、ドアセンサー１０が検知した開閉状態が開状態から閉状態に変化したときでなくとも、ドアセンサー１０が検知した開閉状態の変化に応じて、広告を表示するように表示部１４を制御するように構成されていてもよい。
【００７４】
〔実施形態５〕
本発明の実施形態５について説明すれば、以下のとおりである。なお、本実施形態では、実施形態２に係る冷蔵庫２を用いる。そのため、冷蔵庫２が備えている部材については、その説明を省略する。
【００７５】
本実施形態では、入出力制御部１８は、撮像部１９が撮像した使用者を判別し、判別した当該使用者に応じて、広告の表示態様を変更するように表示部１４を制御する。
【００７６】
（本実施形態における冷蔵庫２の動作）
図９は、本実施形態に係る広告表示方法を説明するフローチャートである。なお、実施形態１において説明した工程と同様の工程については、その説明を省略する。
【００７７】
まず、使用者が冷蔵庫２のドア２４を開いたとき、ドアセンサー１０は、冷蔵庫１のドアの開状態を検知する（ステップＳ４０）。このとき、撮像部１９は、ドア２４を開けた使用者を撮像する（ステップＳ４１）。以後、センサー制御部１７は、ドアセンサー１０からドア２４の開閉状態を取得し、当該開閉状態が開状態から閉状態に変化したか否かを判定する（ステップＳ４２）。
【００７８】
このとき、使用者が、冷蔵庫２のドア２４を閉めると、ドアセンサー１０は、冷蔵庫２のドア２４の閉状態を検知するため、センサー制御部１７は、冷蔵庫２のドア２４が開状態から閉状態に変化したと判定し（ステップＳ４２のＹＥＳ）、ステップＳ４３に進む。一方、使用者が、冷蔵庫２のドア２４を閉めていない間は、ドアセンサー１０は、冷蔵庫２のドア２４の開状態を検知し続けるため、センサー制御部１７は、冷蔵庫２のドア２４が開状態から閉状態に変化したと判定せず（ステップＳ４２のＮＯ）、センサー制御部１７は、冷蔵庫２のドア２４が開状態から閉状態に変化したと判定するまで、ステップＳ４２の工程を繰り返す。
【００７９】
ステップＳ４３では、カメラ制御部２１は、ステップＳ４１で撮像部１９が撮像した使用者を判別する。カメラ制御部２１が判別する使用者の分類としては、男性、女性、子供および老人等を挙げることができる。なお、カメラ制御部２１が使用者を判別できなかった場合、冷蔵庫２は、実施形態１で説明したステップ２および３を順次実行する。また、本実施形態では、使用者が冷蔵庫２のドア２４を開けた時に撮像部１９が使用者を撮像した画像により、カメラ制御部２１は、使用者を判別しているが、使用者が冷蔵庫２のドア２４を閉める直前に撮像部１９が使用者を撮像した画像により、カメラ制御部２１は、使用者を判別してもよい。
【００８０】
続いて、通信制御部１６は、カメラ制御部２１が判別した使用者に予め標識した認識記号を、インターネットを介してクラウドサーバーに送信する（ステップＳ４４）。なお、クラウドサーバーは、上記の認識記号に対応した広告の表示態様を保存しており、使用者に応じた表現を有する広告を、通信制御部１６に送信することができる。
【００８１】
次に、通信制御部１６は、カメラ制御部２１が判別した使用者に応じた表示態様（表現）の広告データを、インターネットを介してクラウドサーバーから取得する（ステップＳ４５）。なお、使用者に応じた表示態様の例としては、大人に対しては、広告の特長を目立たせること、または、値段もしくは申込方法などをある程度詳しく表示すること等を挙げることができる。老人に応じた表示態様の例としては、文字を大きくすること等を挙げることができる。子供に応じた表現の例としては、漢字を少なく、イラストを多く用いること等を挙げることができる。
【００８２】
なお、本実施形態では、通信制御部１６は、インターネットを介してクラウドサーバーから、使用者に応じた表示態様を有する広告データを取得している。しかし、通信制御部１６は、当該クラウドサーバーから、通常の表示態様を有する広告データを取得し、制御部１１が、当該広告データの表示態様を使用者に応じた表現に変換してもよい。例えば、老人に応じた表示態様として、文字のフォントを大きくする、子供に応じた表示態様として、漢字をひらがなに変更する等の処理を行うことができる。
【００８３】
次に、入出力制御部１８は、通信制御部１６が取得した広告データ、または、制御部１１が変換した広告データが示す広告を表示するように表示部１４を制御する（ステップＳ４６）。
【００８４】
以上に説明したように、本実施形態に係る冷蔵庫２は、撮像した使用者を判別し、判別した当該使用者に応じて、広告の表現を変更する。これにより、使用者の年齢および性別等に応じた表現を有する広告を表示することができるため、使用者に対する広告の効果を向上することができる。
【００８５】
なお、本実施形態においても、制御部２０は、ドアセンサー１０が検知した開閉状態が開状態から閉状態に変化したときでなくとも、ドアセンサー１０が検知した開閉状態の変化に応じて、広告を表示するように表示部１４を制御するように構成されていてもよい。
【００８６】
〔広告データの取得方法についての変形例〕
実施形態１〜５では、通信制御部１６が、接続装置２５を制御して、インターネットを介して、クラウドサーバーから広告データを取得する構成について説明したが、本発明は、当該構成に限定されない。冷蔵庫１〜４は、広告データを取得し得るように構成されていればよく、クラウドサーバー以外の通信相手から広告データを取得してもよいし、インターネット以外のネットワークを介して広告データを取得してもよいし、ネットワークを介さずに、直接、通信相手から広告データを取得してもよい。例えば、飲食物のパッケージに、ＲＦＩＤ等の無線部品が組み込まれており、通信制御部１６が、接続装置２５を制御して、当該無線部品と通信することにより、広告データを取得するように構成されていてもよい。
【００８７】
〔ソフトウェアによる実現例〕
冷蔵庫１、２、３および４の制御ブロック（特に、通信制御部１６、センサー制御部１７、入出力制御部１８、およびカメラ制御部２１）は、集積回路（ＩＣチップ）等に形成された論理回路（ハードウェア）によって実現してもよいし、ＣＰＵ（Central Processing Unit）を用いてソフトウェアによって実現してもよい。
【００８８】
後者の場合、冷蔵庫１、２、３および４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８９】
〔まとめ〕
本発明の態様１に係る冷蔵庫（１）は、冷蔵庫であって、広告データを取得する広告データ取得部（通信制御部１６）と、上記広告データが示す広告を表示するための表示部（１４）と、上記冷蔵庫のドア（２４）と、上記ドアの開閉状態を検知するドアセンサー（１０）と、上記ドアセンサーが検知した上記開閉状態の変化に応じて、上記広告を表示するように上記表示部を制御する制御部（１１）とを備えている。
【００９０】
上記構成によれば、ドアの開閉状態の変化に応じて、広告を表示する。使用者が冷蔵庫のドアを開閉した何れかのタイミングでは、使用者が飲食物に関することに関心を向けている可能性が高いため、そのタイミングで飲食物に関する広告を表示することにより、使用者に対する広告の効果を向上することができる。
【００９１】
本発明の態様２に係る冷蔵庫（２）は、上記態様１において、上記制御部は、上記ドアセンサーが検知した上記開閉状態が閉状態に変化したことに応じて、上記広告を表示するように上記表示部を制御するものであってもよい。
【００９２】
本発明の態様３に係る冷蔵庫（２）は、上記態様１または２において、上記冷蔵庫の使用者の存在を検出する検出部（撮像部１９、カメラ制御部２１）をさらに備え、上記制御部は、上記表示部が上記広告の表示を開始してから第１の時間が経過したこと、および、上記検出部が上記使用者の存在を検出しなかったことの少なくとも一方に応じて、上記広告の表示を停止するように上記表示部を制御するものであってもよい。
【００９３】
上記の構成によれば、広告の表示を開始した時から所定時間が経過したこと、および、使用者を検出しなかったことの少なくとも一方に応じて広告の表示を停止する。これにより、広告が常に表示されることを避け、広告が表示されたときに、使用者の注意を引くようにすることができる。
【００９４】
本発明の態様４に係る冷蔵庫（１）は、上記態様１〜３において、上記制御部は、上記表示部が上記広告の表示を開始してから第２の時間が経過したときに、表示する広告を変更するように上記表示部を制御するものであってもよい。
【００９５】
上記の構成によれば、使用者が同じ広告を見続けることによって広告の効果が下がることを回避することができる。
【００９６】
本発明の態様５に係る冷蔵庫（３）は、上記態様１〜４において、特定の種類の飲食物を保持するための保持部と、上記保持部が保持している物体の重量を測定する重量センサー（２２）とをさらに備え、上記制御部は、上記重量センサーが測定した重量に応じた上記広告データを取得するように上記広告データ取得部を制御するものであってもよい。
【００９７】
上記の構成によれば、ドアポケットが保持している飲食物の重量が特定の条件を満たす場合に、当該飲食物に関する広告を表示することができる。これにより、これにより、当該飲食物の在庫量や、使用者による当該飲食物の消費量に応じて、当該飲食物に関する広告を表示することができる。使用者は不足している飲食物や消費した飲食物に関心を寄せている可能性が高いため、使用者に対する広告の効果を向上することができる。
【００９８】
本発明の態様６に係る冷蔵庫（４）は、上記態様１〜５において、
上記冷蔵庫は、冷凍庫（２７）を内蔵しており、上記冷凍庫内に存在する氷の消費量を測定する消費量センサー（２３）をさらに備え、上記制御部は、上記消費量センサーが測定した上記消費量に応じた上記広告データを取得するように上記広告データ取得部を制御するものであってもよい。
【００９９】
上記の構成によれば、氷の消費量が特定の条件を満たす場合、例えば、夏期関連商品に関する広告を表示する。これにより、使用者が夏期に氷を多く消費する場合、夏期関連商品に関する広告を表示することができる。これにより、使用者に対する広告の効果を向上することができる。
【０１００】
本発明の態様７に係る冷蔵庫（２）は、上記態様１〜６において、上記冷蔵庫の使用者を撮像する撮像部（１９）をさらに備え、上記制御部は、上記撮像部が撮像した画像から上記使用者を判別し、判別した当該使用者に応じた表示態様で上記広告を表示するように上記表示部を制御するものであってもよい。
【０１０１】
上記の構成によれば、撮像した使用者を判別し、判別した当該使用者に応じて、広告の表示態様を変更する。これにより、使用者の年齢および性別等に応じた表示態様を有する広告を表示することができるため、使用者に対する広告の効果を向上することができる。
【０１０２】
本発明の態様８に係る冷蔵庫の制御方法は、ドアおよび表示部を備えた冷蔵庫の制御方法であって、広告データを取得する広告データ取得工程と、上記冷蔵庫のドアの開閉状態を検知する検知工程と、上記検知工程において検知した上記開閉状態の変化に応じて、上記広告データが示す広告を表示するように上記表示部を制御する制御工程と、を包含している。
【０１０３】
上記の構成によれば、上記態様１と同等の効果を奏する。
【０１０４】
本発明の各態様に係る冷蔵庫は、コンピュータによって実現してもよく、この場合には、コンピュータを上記冷蔵庫が備える各部（ソフトウェア要素）として動作させることにより上記冷蔵庫をコンピュータにて実現させる冷蔵庫の広告表示プログラム、およびそれを記録したコンピュータ読み取り可能な記録媒体も、本発明の範疇に入る。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１０６】
１、２、３、４  冷蔵庫
１０  ドアセンサー
１１、２０  制御部
１２  記憶部
１３  兼入力部
１３  入力部
１４  表示部
１５  音声出力部
１６  通信制御部（広告データ取得部）
１７  センサー制御部
１８  入出力制御部
１９  撮像部（検出部）
２１  カメラ制御部（検出部）
２２  重量センサー
２３  消費量センサー
２４  ドア
２５  接続装置
２６  ドアポケット（保持部）
２７  冷凍庫
【図１】
2017211168.tif 000003
【図２】
2017211168.tif 000004
【図３】
2017211168.tif 000005
【図４】
2017211168.tif 000006
【図５】
2017211168.tif 000007
【図６】
2017211168.tif 000008
【図７】
2017211168.tif 000009
【図８】
2017211168.tif 000010
【図９】
2017211168.tif 000011